(57)【要約】【課題】  氷点下の温度で起動するときに、電極の電食を防止して、燃料電池の寿命を延ばすことができるとともに、性能低下を抑制することができる燃料電池の起動方法を提供する。【解決手段】  複数のセルを積層してなる燃料電池スタックを備えた燃料電池の起動方法である。燃料電池スタックを少なくとも氷点下の温度で起動するときに、起動前における前記燃料電池スタック停止時での燃料電池スタック内の保有水分量を算出する。保有水分量と前記燃料電池スタックの内部温度とに基づいて各セルに流し得る流通可能最大電流値を算出して、該セル電流を流通可能最大電流値以下に制御する。【選択図】    図１
2006100093.tif 000002
【特許請求の範囲】
【請求項１】
複数のセルを積層してなる燃料電池スタックを備えた燃料電池の起動方法であって、
該燃料電池スタックを少なくとも氷点下の温度で起動するときに、
該起動前における前記燃料電池スタック停止時での燃料電池スタック内の保有水分量を算出し、
前記保有水分量と前記燃料電池スタックの内部温度とに基づいて各セルに流し得る流通可能最大電流値を算出して、
該セル電流を前記流通可能最大電流値以下に制御することを特徴とする燃料電池の起動方法。
【請求項２】
前記保有水分量は、前記燃料電池停止前における前記燃料電池スタック内部からの排出水量に基づいて算出することを特徴とする請求項１に記載の燃料電池の起動方法。
【請求項３】
前記保有水分量は、前記燃料電池停止前における前記燃料電池スタック内部からの排水処理前後での前記燃料電池スタックの重量変化に基づいて算出することを特徴とする請求項１に記載の燃料電池の起動方法。
【請求項４】
前記保有水分量は、前記燃料電池停止前における前記燃料電池スタック内部からの排水処理後の燃料電池抵抗過電圧に基づいて算出することを特徴とする請求項１に記載の燃料電池の起動方法。
【請求項５】
前記保有水分量は、前記燃料電池停止前における前記燃料電池スタック内部からの排水処理後の前記燃料電池スタックの締結荷重に基づいて算出することを特徴とする請求項１に記載の燃料電池の起動方法。
【請求項６】
前記燃料電池スタックの外周からの放熱量と、冷媒流路中を循環する冷媒の吸熱量との合計よりも、前記燃料電池スタックの発電による発熱量が上回るように発電可能最小電流値を算出し、
前記流通可能可能最大電流値と前記発電可能最小電流値との間で前記セルに流す電流値を制御することを特徴とする請求項１から請求項５のいずれかに記載の燃料電池の起動方法。
【発明の詳細な説明】
【技術分野】
【０００１】
本発明は、複数のセルを積層してなる燃料電池スタックを備える燃料電池を氷点下の温度で起動する際における燃料電池の起動方法に関するものである。
【背景技術】
【０００２】
近年、車両の駆動源として燃料電池を備えた燃料電池車両が提案されている。この種の燃料電池としては、アノードとカソードとの間に固体高分子電解質膜を介装したセルを所定数積層された構造をとるものが知られている。そして、アノードに水素（燃料ガス）を、カソードにエア（酸化剤ガス）をそれぞれ導入することで、水素と酸素との電気化学反応によって発電する。
【０００３】
この種の燃料電池は、一般に７０〜８０゜Ｃが発電に最適な温度域とされているが、使用環境によっては起動してから前記温度に達するまでに長い時間がかかる場合があり、その対策を講じる必要がある。
特に、移動手段としての燃料電池車両の場合には、低温時にも速やかな始動性が必要とされるので、燃料電池の低温起動性は極めて重要である。
【０００４】
例えば、特許文献１には、発電電流を周期的に変化させることにより、発電効率を低下させ発熱量を増やす技術が提案されている。
また、他の方法としては、燃料電池セルの出力電流を増大させて発電に伴う発熱量を増加させる方法も知られている。
【特許文献１】特開２００２−３１３３８８号公報
【発明の開示】
【発明が解決しようとする課題】
【０００５】
しかしながら、従来の技術においては、以下のような問題がある。
すなわち、発電電流を周期的に変化させる技術においては、発熱量を増加させるためとは言え発電効率が低下してしまい、燃料電池に非効率的な運転を強いることになるため燃料電池の運転上好ましくない。
【０００６】
また、氷点下で燃料電池を起動する場合には、燃料電池スタック内に残留する残留水が凍結して十分に反応ガスを電極（アノード、カソード）に供給できず、正常に発電が行えない場合がある。そして、従来の技術のいずれにおいても、燃料電池スタックに電流が過剰に流れると、上述のように正常に発電が行えない場合には、電極の触媒成分が電気化学反応して腐食してしまう（以下、電食、と称す）虞があり、性能や寿命を低下させてしまう虞がある。
【０００７】
従って、本発明は、氷点下の温度で起動するときに、電極の電食を防止して、燃料電池の寿命を延ばすことができるとともに、性能低下を抑制することができる燃料電池の起動方法を提供することを目的とする。
【課題を解決するための手段】
【０００８】
請求項１に係る発明は、複数のセル（例えば、実施の形態におけるセル３）を積層してなる燃料電池スタック（例えば、実施の形態における燃料電池スタック４）を備えた燃料電池（例えば、実施の形態における燃料電池２）の起動方法であって、該燃料電池スタックを少なくとも氷点下の温度で起動するときに、該起動前における前記燃料電池スタック停止時での燃料電池スタック内の保有水分量を算出し、前記保有水分量と前記燃料電池スタックの内部温度とに基づいて各セルに流し得る流通可能最大電流値を算出して、該セル電流を前記流通可能最大電流値以下に制御することを特徴とする。
【０００９】
この発明によれば、前記保有水分量を算出することにより前記セルの有する電極の抵抗値や発電状態を判定することができ、さらに前記保有水分量と前記内部温度とから前記セルに流す電流に応じた発電の安定性を判定することができる。すなわち、前記保有水分量と前記内部温度とを算出することで、発電を安定して行える前記流通可能最大電流値を算出することができる。そして、前記セル電流を前記流通可能最大電流値以下に制御することで、過大な電流の流れによる電食の発生を防止することができる。さらに、前記流通可能最大電流値以下の範囲内で、セルに流す電流値を増加させることで、各セルにおける発電やこれに伴う暖機を促進することができる。
【００１０】
請求項２に係る発明は、請求項１に記載のものであって、前記保有水分量は、前記燃料電池停止前における前記燃料電池スタック内部からの排出水量に基づいて算出することを特徴とする。
この発明によれば、前記燃料電池を起動する際に、該起動前の、換言すれば前回起動時での前記燃料電池スタック停止前に、前記燃料電池スタック内部から排出された排出水の量を用いて前記保有水分量を算出することで、前記保有水分量を一定の精度で簡便に算出することができる。すなわち、前記排出水量が多い場合には前記燃料電池スタック内のセル電極が保有する保有水分量は少なくなっていると判定でき、前記排出水量が少ない場合には前記燃料電池スタック内のセル電極が保有する保有水分量は多くなっていると判定できる。従って、簡便な制御で燃料電池の起動を行うことができる。
【００１１】
請求項３に係る発明は、請求項１に記載のものであって、前記保有水分量は、前記燃料電池停止前における前記燃料電池スタック内部からの排水処理前後での前記燃料電池スタックの重量変化に基づいて算出することを特徴とする。
この発明によれば、前記燃料電池を起動する際に、該起動前の、換言すれば前回起動時での前記燃料電池スタック停止前に、前記燃料電池スタック内部からの排水処理前後での前記燃料電池スタックの重量変化を用いて前記保有水分量を算出することで、前記保有水分量を一定の精度で簡便に算出することができる。すなわち、前記重量変化が大きい場合には前記燃料電池スタック内のセル電極が保有する保有水分量は少なくなっていると判定でき、前記重量変化が小さい場合には前記燃料電池スタック内のセル電極が保有する保有水分量は多くなっていると判定できる。従って、簡便な制御で燃料電池の起動を行うことができる。
【００１２】
請求項４に係る発明は、請求項１に記載のものであって、前記保有水分量は、前記燃料電池停止前における前記燃料電池スタック内部からの排水処理後の燃料電池抵抗過電圧（燃料電池スタック４の電圧）に基づいて算出することを特徴とする。
この発明によれば、前記燃料電池を起動する際に、該起動前の、換言すれば前回起動時での前記燃料電池スタック停止前に、前記燃料電池スタック内部からの排水処理後の前記燃料電池抵抗過電圧を用いて前記保有水分量を算出することで、前記保有水分量を一定の精度で簡便に算出することができる。すなわち、前記燃料電池抵抗過電圧が大きい場合には前記燃料電池スタック内のセル電極が保有する保有水分量は少なくなっていると判定でき、前記燃料電池抵抗過電圧が小さい場合には前記燃料電池スタック内のセル電極が保有する保有水分量は多くなっていると判定できる。従って、簡便な制御で燃料電池の起動を行うことができる。
【００１３】
請求項５に係る発明は、請求項１に記載のものであって、前記保有水分量は、前記燃料電池停止前における前記燃料電池スタック内部からの排水処理後の前記燃料電池スタックの締結荷重に基づいて算出することを特徴とする。
この発明によれば、前記燃料電池を起動する際に、該起動前の、換言すれば前回起動時での前記燃料電池スタック停止前に、前記燃料電池スタック内部からの排水処理後の前記燃料電池スタックの締結荷重を用いて前記保有水分量を算出することで、前記保有水分量を一定の精度で簡便に算出することができる。すなわち、前記セル電極は水分を含有すると膨潤して荷重が増大するため、前記燃料電池スタックの締結荷重が小さい場合には前記燃料電池スタック内のセル電極が保有する保有水分量は少なくなっていると判定でき、前記締結荷重が大きい場合には前記燃料電池スタック内のセル電極が保有する保有水分量は多くなっていると判定できる。従って、簡便な制御で燃料電池の起動を行うことができる。
【００１４】
請求項６に係る発明は、請求項１から請求項５のいずれかに記載のものであって、前記燃料電池スタックの外周からの放熱量と、冷媒流路中を循環する冷媒の吸熱量との合計よりも、前記燃料電池スタックの発電による発熱量が上回るように発電可能最小電流値を算出し、前記流通可能最大電流値と前記発電可能最小電流値との間で前記セルに流す電流値を制御することを特徴とする。
【００１５】
この発明によれば、前記燃料電池スタックの発電による発熱量が、燃料電池スタックの外周からの放熱量と、冷媒流路中を循環する冷媒の吸熱量との合計よりも上回るように算出した最小電流値を流すことで、燃料電池スタック内の昇温を確保することができ、燃料電池スタック外部の暖機手段に依存することなく発電による発熱のみによって前記燃料電池スタックの暖機を行うことができる。
【発明の効果】
【００１６】
請求項１に係る発明によれば、前記保有水分量と前記内部温度とから前記セルに流す電流に応じた発電の安定性を判定することができる。また、過大な電流の流れによる電食の発生を防止することができる。
請求項２〜請求項５に係る発明によれば、前記保有水分量を一定の精度で簡便に算出することができる。
請求項６に係る発明によれば、燃料電池スタック外部の暖機手段に依存することなく発電による発熱のみによって前記燃料電池スタックの暖機を行うことができる。
【発明を実施するための最良の形態】
【００１７】
以下、この発明の実施の形態における燃料電池の起動方法を図面と共に説明する。なお、本実施の形態では、燃料電池を車両に搭載した場合の燃料電池システムについて説明する。
図１は、本発明の実施の形態における燃料電池の起動方法が適用される燃料電池システムの概略構成図である。
【００１８】
同図に示す燃料電池２は、複数のセル３…３を積層してなるスタック４を、一対のプレート５、５で挟持してなる構成を備えている。これらのプレート５、５は、各セル３の積層方向に貫通するボルト（図示せず）により締結されている。
各セル３は、例えば固体ポリマーイオン交換膜等からなる固体高分子電解質膜をアノードとカソードとで両側から挟み込んで形成される。各セルのアノードに燃料として水素を供給するとともに、カソードに酸化剤として酸素を含むエアを供給すると、アノードで触媒反応により発生した水素イオンが、電解質膜を通過してカソードまで移動して、カソードで酸素と電気化学反応を起こして発電する。
なお、発電の際にはカソード側で水が生成されるとともに、カソード側で生じた生成水の一部が電解質膜を介してアノード側に逆拡散するためアノード側にも生成水が存在する。
【００１９】
水素タンク６から供給される水素は、遮断弁７やレギュレータ（図示せず）を介し、水素供給流路８を通って燃料電池２のアノードに供給される。そして、発電により消費されなかった未反応の水素オフガスは、アノード側の生成水等の残留水と共に、アノードから水素オフガス循環流路９に排出され、エゼクタ１０を介して水素供給流路８に合流する。
【００２０】
つまり、燃料電池２から排出された水素オフガスは、水素タンク６から供給される新鮮な水素と合流して、再び燃料電池２のアノードに供給される。また、水素オフガス循環流路９から分岐した水素オフガス排出流路１１は希釈ボックス（図示せず）に接続される。水素オフガス排出流路１１には水素パージ弁１２が設けられ、水素パージ弁１２を開弁することにより利用済の水素オフガスを水素オフガス排出流路１１から希釈ボックスに排出する。
【００２１】
一方、エアはコンプレッサ１３によりエア供給流路１４に圧送され、燃料電池２のカソードに供給される。燃料電池２のカソードに供給されたエアは発電に供された後、燃料電池２からカソード側の生成水等の残留水と共にオフガスとしてエアオフガス排出流路１５に排出される。
【００２２】
エアオフガス排出流路１５は上述の希釈ボックス（図示せず）に接続され、エアオフガス排出流路１５から排出されるエアオフガスは希釈ボックス内で水素オフガスと混合される。これにより、水素オフガス排出流路１１から排出された水素オフガスは、希釈ボックスにより所定濃度以下に希釈される。
【００２３】
さらに、燃料電池２は、冷却水を循環させる循環ポンプを備えた冷却水流路（図示せず）などを備えている。燃料電池２の作動時に冷却水を循環させることにより、燃料電池２は電気化学反応に適した温度（例えば８０°Ｃ）に制御される。
また、燃料電池２は車両駆動用モータなどの負荷１６に電線１７を介して接続され、燃料電池２の発電で得られた電力を電線１７を介して負荷１６に供給する。
【００２４】
また、本実施の形態においては、燃料電池２の内部温度を把握するために、複数箇所に温度センサ１９〜２１を設けている。すなわち、エアオフガス排出流路１５に温度センサ１９を、水素オフガス排出流路１１に温度センサ２０を、燃料電池２のプレート５に温度センサ２１を、それぞれ設けている。さらに、燃料電池２を循環する図示しない冷媒通路にも、温度センサを設けている。なお、上述の全ての温度センサを備える構成に限られず、少なくとも１つの温度センサを備える構成であっても良い。
また、燃料電池２の電流Ｉを測定するために、負荷１６に接続された電線１７に電流センサ２２を設けている。さらに、燃料電池２の電圧を測定する電圧センサ２３や、各セル３の電圧を検出するための電圧センサ２５…２５、スタック４を挟持するプレート５、５にかかる荷重を検出する圧力センサ２６、スタック４から排出された水量を検出する水量センサ２７、スタック４の重量を検出する重量センサ２８も設けられている。
【００２５】
燃料電池システム１には、該システム１の制御を行うためのコントロールユニット（制御部）２４が設けられている。この制御部２４には、イグニッションスイッチ（ＩＧ  ＳＷ）が接続されている。制御部２４には、イグニッションスイッチからのイグニッションＯＮ、ＯＦＦ（ＩＧ−ＯＮ、ＩＧ−ＯＦＦ）の信号や、温度センサ１９〜２１や電流センサ２２、電圧センサ２３、２５、圧力センサ２６、水量センサ２７、重量センサ２８からの検出値が入力される。そして、制御部２４は、これらの入力された検出値や信号に基づいて、水素タンク６、コンプレッサ１３、水素パージ弁１２を駆動させる信号を出力するようになっている。
【００２６】
図２は燃料電池システムの起動方法の処理内容を示すフローチャートである。
まず、ステップＳ１０で、イグニッションスイッチがＯＮになり（ＩＧ−ＯＮ）、車両が始動されたことを検出すると、水素タンク６やコンプレッサ１３を駆動して、燃料電池２のアノードやカソードにそれぞれ反応ガス（水素、エア）を供給する制御を行い、始動運転を開始する。
【００２７】
次に、ステップＳ１２では、上述した温度センサ１９〜２１や冷媒通路に設けた温度センサで検出した温度に基づいて、燃料電池２の内部温度を把握する。ステップＳ１４では、燃料電池２の内部温度が０度より大きいか否かを判定する。この判定結果がＹＥＳの場合には十分暖機がされていると判定できるので、ステップＳ３２に進む。ステップＳ３２では、電流制限を解除し通常発電の制御に移行して本フローチャートの処理を終了する。この場合には燃料電池２内の残留水は凍結していないと判断できるためである。
【００２８】
一方、ステップＳ１４の判定結果がＮＯの場合（低温起動時と判断される場合）にはステップＳ１６に進む。ステップＳ１６では、燃料電池スタック４内の保有水分量を把握する。本実施の形態では、今回の起動前の前回停止時における燃料電池スタック４内部からの排水処理前後での前記燃料電池スタック４の重量変化に基づいて算出する。これについて図３を用いて説明する。
【００２９】
図３は前回停止時の掃気処理の内容を示すフローチャートである。同図に示すように、ステップＳ４０で、イグニッションスイッチがＯＦＦになり（ＩＧ−ＯＦＦ）、車両の停止指示がされたことを検出すると、ステップＳ４２で掃気前の状態を確認する。本実施の形態では、掃気前の燃料電池スタック４の重量を重量センサ２８により検出し、その検出値をコントロールユニット２４のメモリ（図示せず）に記録する。次に、ステップＳ４４で、燃料電池スタック４内に空気等の掃気用ガスを送り込み、燃料電池スタック４内部から残留水を排出する掃気処理を行う。掃気処理から一定時間経過後に、ステップＳ４６で、掃気処理を終了する。なお、掃気処理終了の判定は、時間以外にも例えば燃料電池スタック４の湿度等で行ってもよい。
【００３０】
そして、ステップＳ４８では掃気後の状態を確認する。本実施の形態では、掃気後の燃料電池スタック４の重量を重量センサ２８により検出し、その検出値をコントロールユニット２４のメモリ（図示せず）に記録する。その後、ステップＳ５０で、燃料電池スタック４の掃気前後の重量変化に基づいて保有水分量を算出して、算出した保有水分量をメモリに記録する。コントロールユニット２４には、重量変化と保有水分量との関係をマップ（図示せず）として保持され、このマップから保有水分量を求めることができる。
重量変化と保有水分量とは略正比例の関係であり、前記重量変化が大きい場合には前記燃料電池スタック内のセル電極が保有する保有水分量は少なくなっていると判定でき、前記排出水量が小さい場合には前記燃料電池スタック内のセル電極が保有する保有水分量は多くなっていると判定できる。そして、ステップＳ１６の処理に進む。
【００３１】
ステップＳ１６では、上述のように記録した保有水分量を読み出して把握する。ステップＳ１８では発電条件マップを参照し、ステップＳ２０では、セル電極が保有する保有水分量と、このマップに基づいて流通可能最大電流を計算する。これについて図４〜図６を用いて説明する。図４は燃料電池の保有水分量と流通可能最大電流との関係を示すグラフ図である。図５は燃料電池の保有水分量と流通可能最大電流との関係を燃料電池内部温度毎に示すグラフ図である。図６は燃料電池の保有水分量と流通可能最大電流との関係を起動条件毎に示すグラフ図である。
【００３２】
図４に示すラインＬは、所定温度Ｔにおける、保有水分量に対する流通可能最大電流値を示している。ここで、ラインＬの示す流通可能最大電流は、発電を安定して行える（電食の発生を防止しうる）最大の電流値である。また、ラインＬ以下の領域ａは発電を安定して行える領域であり、ラインＬを超える領域ｂは発電を安定して行えず燃料電池２の性能劣化が懸念される領域である。
【００３３】
同図に示すように、ラインＬは略凸状に突出した曲線となっている。すなわち、保有水分量が０から増加するにつれて流通可能最大電流値は増加していくが、その後保有水分量が増加しても流通可能最大電流値はさほど増加せず略一定値となり、さらに保有水分量が増加すると流通可能最大電流値は減少していく。保有水分量が少ないときには、セル３の電解質膜内の抵抗値が高まり電子が通り難くなるため、流通可能最大電流値は小さくなっている。また、保有水分量が多いときには、セル３の電極表面が生成水等の水分で覆われて反応ガスの供給が妨げられるため、やはり流通可能最大電流値は小さくなっている。
【００３４】
また、図５に示すラインＬＡ、ＬＢ、ＬＣは、温度ＴＡ、ＴＢ、ＴＣのときの保有水分量に対する流通可能最大電流値をそれぞれ示している。ここで、ＴＡ、ＴＢ、ＴＣの順に温度が低くなっている。同図に示すように、起動時の内部温度が低下するほど、起動時の流通可能最大電流値が減少する。
【００３５】
また、図６に示すラインＬα、Ｌβは、起動条件α、βのときの保有水分量に対する流通可能最大電流値をそれぞれ示している。ここで、起動条件としては、水素やエアの圧力や流量の制御の少なくともいずれかを含むものであり、条件αよりも条件βの方が上述の圧力や流量を低く設定している。同図に示すように、起動条件を向上させると、掃気時の排水量に対する流通可能最大電流値が増大する。
これら図４〜図６に示したマップを用いて、ステップＳ２０で流通可能最大電流値を計算する。
【００３６】
次に、ステップＳ２２で、燃料電池スタック４内の温度を把握する。この温度は、スタック４の外表面と、燃料電池スタック４内の温度と、燃料電池スタック４を通る冷却水の入口または出口の温度に基づいて算出される。
そして、ステップＳ２４で発電可能最小電流値を計算する。ここで、最小電流値の求め方について説明する。本実施の形態においては、前記燃料電池スタック４の外周からの放熱量と、冷媒流路中を循環する冷媒の吸熱量との合計よりも、前記燃料電池スタック４の発電による発熱量が上回るように最小電流値を算出している。このように算出した最小電流値を流すことで、燃料電池スタック４内の昇温を確保することができ、燃料電池スタック４外部の暖機手段（ヒータ等）に依存することなく発電による発熱のみによって前記燃料電池スタック４の暖機を行うことができる。なお、燃料電池スタック４の外周からの放熱量は、燃料電池スタック４の内部温度と燃料電池スタック４の周囲温度とに基づいて、求めることができる。また、冷媒流路中を循環する冷媒の吸熱量は、燃料電池２を流通する冷媒の入口と出口での温度差に、冷媒の比熱と比重、冷媒の流量をそれぞれ乗じることで求めることができる。
【００３７】
そして、ステップＳ２６では、流通可能最大電流値と発電可能最小電流値とを比較して、流通可能最大電流値が発電可能最小電流値よりも大きいか否かを判定する。この判定結果がＹＥＳであればステップＳ２８に進み、判定結果がＮＯであればステップＳ３０に進む。
ステップＳ２８では、発電可能最小電流以上の電流を流すことができるので、前記最小電流値以上かつ前記最大電流値以下で発電を行い、ステップＳ１２に戻る。この場合には、電食を防止しつつ自己の発電による発熱のみによって前記燃料電池スタック４の暖機を行うことができる。また、ステップＳ３０では、最小電流値以上の電流を流すことができないので、システムの起動を拒否して、ステップＳ１２に戻る。
【００３８】
以上説明したように、本実施の形態では、前記保有水分量と前記内部温度とからセル３に流す電流に応じた発電の安定性を判定することができる。また、過大な電流の流れによる電食の発生を防止することができる。
【００３９】
なお、本発明の内容は上述の実施の形態のみに限られるものでないことはもちろんである。例えば、実施の形態では、燃料電池を車両に搭載した場合について説明したが、車両以外の燃料電池システムにも適用してもよい。
また、実施の形態では、前回起動時での燃料電池スタック４停止前に掃気処理前後の状態変化（この場合は重量変化）に基づいて保有水分量を算出したが、他の方法を用いてもよい。具体的には、水量センサ２７により掃気処理で排出された排出水の量を用いてもよいし、電圧センサ２３により掃気処理後の燃料電池抵抗過電圧を用いてもよいし、圧力センサ２６により掃気処理後の燃料電池スタックの締結荷重を用いてもよい。なお、ステップＳ１４の閾値については、０℃でなくてもよく、燃料電池２のセル３が暖機されているかを判断するための所定値であればよい。
【図面の簡単な説明】
【００４０】
【図１】本発明の実施の形態における燃料電池システムの全体構成図である。
【図２】燃料電池システムの起動方法の処理内容を示すフローチャートである。
【図３】前回停止時の掃気処理の内容を示すフローチャートである。
【図４】燃料電池の保有水分量と流通可能最大電流との関係を示すグラフ図である。
【図５】燃料電池の保有水分量と流通可能最大電流との関係を燃料電池内部温度毎に示すグラフ図である。
【図６】燃料電池の保有水分量と流通可能最大電流との関係を起動条件毎に示すグラフ図である。
【符号の説明】
【００４１】
１…燃料電池システム
２…燃料電池
３…セル
４…スタック
１９〜２１…温度センサ
２２…電流センサ
２３…電圧センサ
２４…コントロールユニット
【図１】
2006100093.tif 000003
【図２】
2006100093.tif 000004
【図３】
2006100093.tif 000005
【図４】
2006100093.tif 000006
【図５】
2006100093.tif 000007
【図６】
2006100093.tif 000008